(57)【要約】ウォーキートーキー様通信をワイヤレスデバイスに提供するシステムにおいて、送信チャネルの利用を制御するためのシステムおよび方法が提供される。最大トーク時間およびバックオフ時間のようなパラメータは、どれだけ長くトークチャネルを連続的に占有できるかを制御するために各ワイヤレスデバイスに提供される。更に、パラメータは、トークチャネルを開放した後、どれだけ早くトークチャネルに再度アクセスできるかを制御するためにも各ワイヤレスデバイスに提供される。
2008506320.tif 000002
【特許請求の範囲】
【請求項１】
ウォーキートーキー様通信能力をワイヤレスデバイス間にて配信するように適合されるネットワークシステムと共に使用するためのトーク制御要素であって、
該ネットワークシステムは、１つのワイヤレスデバイスのみが所定の時間にてトークチャネルを占有することを可能にし、
該トークチャネル要素は、各ワイヤレスデバイスに少なくとも１つのパラメータを送信するように適合されており、
該各ワイヤレスデバイスは、もう一方（単数または複数）の該ワイヤレスデバイスが該トークチャネルを占有することを可能にするために、該各ワイヤレスデバイスが該トークチャネルを連続的に占有することが可能な時間の長さを制御する規制を該各ワイヤレスデバイスが自動的に提供することを可能にするためのトークチャネル規制に関係する、トーク制御要素。
【請求項２】
前記ネットワークの一部および／または該ネットワークと組み合わせて形成する、請求項１に記載のトーク制御要素。
【請求項３】
前記トーク制御要素が、前記ネットワークシステムに対して外側に存在する、請求項１に記載のトーク制御要素。
【請求項４】
前記少なくとも１つのパラメータは、前記ワイヤレスデバイスが前記トークチャネルを連続的に占有できる最大の時間の長さを表す最大トーク時間パラメータを各ワイヤレスデバイスに対して含む、請求項１〜３のうちのいずれか一項に記載のトーク制御要素。
【請求項５】
前記少なくとも１つのパラメータは、前記ワイヤレスデバイスが前記トークチャネルを再度要求できる前であり、該トークチャネルを解放した後の最小時間を表すバックオフパラメータを各ワイヤレスデバイスに対してさらに含む、請求項１〜４のうちのいずれか一項に記載のトーク制御要素。
【請求項６】
前記ワイヤレスデバイスの登録の際に前記少なくとも１つのパラメータを送信するように適合される、請求項１〜５のうちのいずれか一項に記載のトーク制御要素。
【請求項７】
前記少なくとも１つのパラメータに対して変更が生じた場合にのみ、各ワイヤレスデバイスに対して、該ワイヤレスデバイスの登録の際に該少なくとも１つのパラメータを送信するように適合される、請求項１〜６のうちのいずれか一項に記載のトーク制御要素。
【請求項８】
複数のワイヤレスデバイスと組み合わせて請求項１〜７のうちのいずれか一項に記載のトーク制御要素を備えるシステムであって、各ワイヤレスデバイスは、前記少なくとも１つのパラメータを処理するためのトーク処理要素を含み、前記トークチャネルに対する要求が該少なくとも１つのパラメータに従って生成されることを可能にする、システム。
【請求項９】
各ワイヤレスデバイスは、該ワイヤレスデバイスに対する最大トーク時間パラメータによって表される期間の終了後に前記トークチャネルを自動的に開放するように適合される、請求項８に記載のシステム。
【請求項１０】
前記ワイヤレスデバイスは、該ワイヤレスデバイスによる前記トークチャネルの解放に続いて、該トークチャネルに対する要求が該ワイヤレスデバイスに対するバックオフパラメータによって表される期間に生成されることを不可能にするように適合される、請求項８または請求項９に記載のシステム。
【請求項１１】
請求項１〜７のうちのいずれか一項に記載のトーク制御要素を備えるか、または、請求項１〜７のうちのいずれか一項に記載のトーク制御要素と協力して動作するように適合される、ネットワークシステム。
【請求項１２】
前記ネットワークは、ＰｏＣ、ＩＤＥＮ、１ｘＲＴＴ  ＣＤＭＡ、ＵＭＴＳ、ＧＳＭ／ＧＰＲＳおよびＴＤＭＡのうちの少なくとも１つを使用してインプリメントされる、請求項１１に記載のネットワークシステム。
【請求項１３】
ネットワーク配信されるウォーキートーキー様通信セッションに関与するように適合されるワイヤレスデバイスであって、該ワイヤレスデバイスは、
少なくとも１つの他のワイヤレスデバイスがトークチャネルを占有することを可能にするためのセッションに対して、該ワイヤレスデバイスが該トークチャネルを連続的に占有することが可能な時間の長さを制御する規制を自動的に提供するように適合されるトーク処理要素
を備える、ワイヤレスデバイス。
【請求項１４】
前記ネットワークから受信される少なくとも１つのパラメータに従って、前記ワイヤレスデバイスが前記セッションに対するトークチャネルを連続的に占有することが可能な時間の長さを制御するように適合される、請求項１３に記載のワイヤレスデバイス。
【請求項１５】
前記トークチャネルを特定の期間連続的に占有した後、該トークチャネルを自動的に開放するように適合される、請求項１３または請求項１４に記載のワイヤレスデバイス。
【請求項１６】
前記ワイヤレスデバイスによる前記トークチャネルの解放に続いて、特定の期間該トークチャネルに対する要求の生成を防ぐように適合される、請求項１３〜１５のうちのいずれか一項に記載のワイヤレスデバイス。
【請求項１７】
各ワイヤレスデバイスがトークチャネルを連続的に占有することが可能な時間の長さを制御するために、ネットワーク配信されたウォーキートーキー様通信セッションに関与する各ワイヤレスデバイスに少なくとも１つのパラメータを提供すること
を包含する方法であって、
各ワイヤレスデバイスは、セッションに関与する該ワイヤレスデバイスのうちの残りのもの（単数または複数）がトークチャネルを占有することを可能にするために、該少なくとも１つのパラメータに従って、該トークチャネルへのアクセスを制御する規制を自動的に提供するように適合される、方法。
【請求項１８】
前記少なくとも１つのパラメータが、最大トーク時間および／またはバックオフ時間を含む、請求項１７に記載の方法。
【請求項１９】
前記少なくとも１つのパラメータが、前記ネットワークとの前記デバイスの登録の際、各ワイヤレスデバイスに送信される、請求項１７または請求項１８に記載の方法。
【請求項２０】
請求項１７〜請求項１９のうちのいずれか一項の方法をインプリメントするために、請求項１〜請求項７のうちのいずれか一項のトーク制御要素または請求項１３〜１６のうちのいずれか一項のワイヤレスデバイスにおいて実行可能であるプログラムコード手段を組み入れる、機械読取可能媒体。
【発明の詳細な説明】
【技術分野】
【０００１】
本発明は、ワイヤレス通信システムに関し、より詳細には、半二重音声通信サービスを提供するワイヤレス通信システムにおける送信チャネル占有の規制に関する。
【背景技術】
【０００２】
ウォーキートーキー様機能性、またはディスパッチサービスに亘るＰＴＴＴＭ（プッシュトークＴＭ）、セルラ（ＰｏＣ）サービス（ＯＭＡ基準の一部）に亘るＰＴＴＴＭ、または別の形式をとり得る同様の半二重音声機能性を提供する通信システムが利用可能である。本明細書を参照すると、ウォーキートーキー様機能性および半二重音声機能性は、任意の一時の時間においてトーキングまたは送信側パーティのデバイスからリスニングまたは受信側パーティのデバイスに音声通信を送信できるが、トーキング側パーティのデバイスが受信側パーティのデバイスに音声を送信している間、受信側パーティのデバイスからトーキング側パーティのデバイスに音声通信を同時に送信しない、ネットワーク（単数または複数）を介して配信される任意の音声通信機能性を意味するように通常とられる。アクティブＰＴＴＴＭセッションまたはディスパッチコールセッションの間、セッションに加わっている１つのユーザデバイス（「トーカ（ｔａｌｋｅｒ）の」デバイス）のみが、任意の一時の時間において送信またはトーキングデバイスとして指定され得る。通信は、１対１または１対多数になり得る。ユーザデバイスは、ネットワークからトーク／送信チャネルを要求することによって、および、ネットワークによってトーク／送信チャネルが与えられることによって、送信デバイスの役割を得る。トーカのデバイスが送信チャネルを占有している間（トーク期間の間）、アクティブディスパッチコールセッションにおける全ての他のデバイス（リスナのデバイス）は、リスナモードにあり、送信デバイスがトーク期間を終了し、かつトーク／送信チャネルを開放するようにネットワークに要求するまで音声を送信できない。トーク／送信チャネルが占有されていない間の時間は、アイドル期間である。ＰＴＴＴＭの標準インプリメンテーションにおいて、例えば、ワイヤレスデバイスのユーザインターフェースは、ユーザがトーク／送信チャネルを取得および解放するための要求の送信を制御することを可能にするための「トーク」ボタンを含む。ここにおいて、これらの要求は、ロジカル制御チャネルを通じてネットワークに送信される。
【０００３】
システムのディスパッチサービスの一部としてＰＴＴＴＭ機能性を提供するシステムの例は、ＭｏｔｏｒｏｌａＴＭ社のｉＤＥＮＴＭシステムである。そのようなＰＴＴＴＭサービスを提供できる他の例示的システムは、１ｘＲＴＴ  ＣＤＭＡ、ＵＭＴＳ、ＧＳＭ／ＧＰＲＳ、およびＴＤＭＡである。プッシュトークＴＭサービスは、全二重通信も提供する既存のネットワークシステムを介してオプショナル半二重サービスとして提供され得、または半二重通信のみを提供するネットワークシステムを介してサービスとして提供され得る。
【０００４】
特許文献１および特許文献２のＰＣＴ出願は、ワイヤレスデバイスにおけるユーザが話す特権を与えられ得る限定された時間に基づいて、話す許可が与えられるシステムを開示している。しかしながら、システムは、この機能性をインプリメントするために中央処理装置に依存し得る。中央処理装置からの命令を受信することによって、ワイヤレスデバイスは、音声パケットをもう送信するべきではないときを決定するにおいて、単に、「ダミー」ターミナルとして役に立つ。命令に対する中心処理装置におけるこの信頼は、ワイヤレスデバイスと中心処理装置との間の追加の通信を必要とする。
【特許文献１】米国特許出願公開第２００２／０１５００９１  Ａ１号明細書
【特許文献２】国際公開第ＷＯ２００４／０３６７８７  Ａ１号
【発明の開示】
【課題を解決するための手段】
【０００５】
ある広い局面に従うと、本発明は、ウォーキートーキー様通信能力をワイヤレスデバイス間にて配信するように適合されるネットワークシステムと共に使用するためのトーク制御要素を提供する。ネットワークシステムは、１つのワイヤレスデバイスのみが所定の時間にてトークチャネルを占有することを可能にする。トークチャネル要素は、各ワイヤレスデバイスに少なくとも１つのパラメータを送信するように適合される。各ワイヤレスデバイスは、もう一方（単数または複数）のワイヤレスデバイスがトークチャネルを占有することを可能にするために、各ワイヤレスデバイスがトークチャネルを連続的に占有することが可能な時間の長さを制御する規制を各ワイヤレスデバイスが自動的に提供することを可能にするためのトークチャネル規制に関係する。
【０００６】
一部の実施形態においては、トーク制御要素は、ネットワークの一部および／またはネットワークと組み合わせて形成する。
【０００７】
一部の実施形態においては、トーク制御要素は、ネットワークシステムに対して外側に存在する。
【０００８】
一部の実施形態においては、少なくとも１つのパラメータは、ワイヤレスデバイスがトークチャネルを連続的に占有できる最大の時間の長さを表す最大トーク時間パラメータを各ワイヤレスデバイスに対して含む。
【０００９】
一部の実施形態においては、少なくとも１つのパラメータは、ワイヤレスデバイスがトークチャネルを再度要求できる前であり、トークチャネルを解放した後の最小時間を表すバックオフパラメータを各ワイヤレスデバイスに対してさらに含む。
【００１０】
一部の実施形態においては、少なくとも１つのパラメータは、ワイヤレスデバイスがトークチャネルを再度要求できる前であり、トークチャネルを解放した後の最小時間を表すバックオフパラメータを各ワイヤレスデバイスに対して含む。
【００１１】
一部の実施形態においては、ネットワークシステムは、ワイヤレスデバイスの登録の際にパラメータを送信するように適合される。
【００１２】
一部の実施形態においては、ネットワークシステムは、少なくとも１つのパラメータに対して変更が生じた場合にのみ、各ワイヤレスデバイスに対して、ワイヤレスデバイスの登録の際にパラメータを送信するように適合される。
【００１３】
一部の実施形態においては、ネットワークシステムは、複数のワイヤレスデバイスと組み合わされ、各ワイヤレスデバイスは、少なくとも１つのパラメータを処理するためのトーク処理要素を含み、トークチャネルに対する要求が少なくとも１つのパラメータに従って生成されることを可能にする。
【００１４】
一部の実施形態においては、ネットワークシステムは、複数のワイヤレスデバイスと組み合わされ、各ワイヤレスデバイスは、少なくとも１つのパラメータを処理するためのトーク処理要素を含み、トークチャネルに対する要求が少なくとも１つのパラメータに従って生成されることを可能にする。各ワイヤレスデバイスは、ワイヤレスデバイスに対する最大トーク時間パラメータによって表される期間の終了後にトークチャネルを自動的に開放する。
【００１５】
一部の実施形態においては、ネットワークは、複数のワイヤレスデバイスと組み合わされ、各ワイヤレスデバイスは、少なくとも１つのパラメータを処理するためのトーク処理要素を含み、トークチャネルに対する要求が少なくとも１つのパラメータに従って生成されることを可能にする。各ワイヤレスデバイスは、ワイヤレスデバイスに対する最大トーク時間パラメータによって表される期間の終了後にトークチャネルを自動的に開放する。ワイヤレスデバイスによるトークチャネルの解放に続いて、ワイヤレスデバイスは、トークチャネルに対する要求がワイヤレスデバイスに対するバックオフパラメータによって表される期間に生成されることを不可能にする。
【００１６】
一部の実施形態においては、ネットワークシステムは、複数のワイヤレスデバイスと組み合わされ、各ワイヤレスデバイスは、少なくとも１つのパラメータを処理するためのトーク処理要素を含み、トークチャネルに対する要求が少なくとも１つのパラメータに従って生成されることを可能にする。ワイヤレスデバイスによるトークチャネルの解放に続いて、ワイヤレスデバイスは、トークチャネルに対する要求がワイヤレスデバイスに対するバックオフパラメータによって表される期間に生成されることを不可能にする。
【００１７】
一部の実施形態においては、ネットワークは、ＰｏＣ、ＩＤＥＮ、１ｘＲＴＴ  ＣＤＭＡ、ＵＭＴＳ、ＧＳＭ／ＧＰＲＳおよびＴＤＭＡのうちの少なくとも１つを使用してインプリメントされる。
【００１８】
他の広い局面に従うと、本発明は、ネットワーク配信されるウォーキートーキー様通信セッションに関与するように適合されるワイヤレスデバイスを提供する。ワイヤレスデバイスは、少なくとも１つの他のワイヤレスデバイスがトークチャネルを占有することを可能にするためのセッションに対して、ワイヤレスデバイスがトークチャネルを連続的に占有することが可能な時間の長さを制御する規制を自動的に提供するように適合されるトーク処理要素を含む。
【００１９】
一部の実施形態においては、ワイヤレスデバイスは、ネットワークから受信される少なくとも１つのパラメータに従って、ワイヤレスデバイスがセッションに対するトークチャネルを連続的に占有することが可能な時間の長さを制御するように適合される。
【００２０】
一部の実施形態においては、ワイヤレスデバイスは、トークチャネルを特定の期間連続的に占有した後、トークチャネルを自動的に開放するように適合される。
【００２１】
一部の実施形態においては、ワイヤレスデバイスによるトークチャネルの解放に続いて、特定の期間トークチャネルに対する要求の生成を防ぐように適合される。
【００２２】
他の広い局面に従うと、本発明は、各ワイヤレスデバイスがトークチャネルを連続的に占有することが可能な時間の長さを制御するために、ネットワーク配信されたウォーキートーキー様通信セッションに関与する各ワイヤレスデバイスに少なくとも１つのパラメータを提供することを包含する方法を提供する。各ワイヤレスデバイスは、セッションに関与するワイヤレスデバイスのうちの残りのもの（単数または複数）がトークチャネルを占有することを可能にするための少なくとも１つのパラメータに従って、トークチャネルへのアクセスを制御する規制を自動的に提供するように適合される。
【００２３】
一部の実施形態においては、少なくとも１つのパラメータは、最大トーク時間および／またはバックオフ時間を含む。
【００２４】
一部の実施形態においては、少なくとも１つのパラメータは、ネットワークとのデバイスの登録の際、各ワイヤレスデバイスに送信される。
【発明を実施するための最良の形態】
【００２５】
本発明の好適な実施形態は、ここで、添付の図面を参照して記載される。
【００２６】
以下の特定の例においては、ウォーキートーキー様能力は、ＰＴＴＴＭ能力であると仮定される。より一般的には、本発明の実施形態は、ネットワーク伝送のウォーキートーキー様能力を提供する任意のシステムを用い得、例示のＰＴＴＴＭ能力に限定されない。これを伝送することが可能なネットワークは、たとえそのようなネットワークが非ディスパッチ機能性をも伝送し得るとしても、「ディスパッチネットワーク」と呼ばれる。
【００２７】
既知のシステム上において保持されるプッシュツートークＴＭセッションの受信側におけるユーザは、送信デバイスのユーザが送信している間、グループにおける任意の他のユーザと通信することができない。なぜならば、トーク／送信チャネルは、それが解放されるまで、送信デバイスに占有されているからである。
【００２８】
本発明の実施形態は、ユーザが無期限に送信／トークチャネルを占有するか、または、コールに関与する他のユーザに話す機会を許可せずに送信チャネルを繰り返し制御することから生じる不正使用およびその結果生じる不都合の可能性を軽減することを試みる。以下で検討される好適な実施形態に従うと、方法、システム、および新しいユーザデバイスは、自動的に、ＰＴＴＴＭ送信チャネル占有期間および送信チャネル要求頻度の規制を提供するために用いられ得る。
【００２９】
好適な実施形態において、異なる加入者は、例えば、加入者のために設定されるＳｅｒｖｉｃｅ  Ｌｅｖｅｌ  Ａｇｒｅｅｍｅｎｔ（ＳＬＡ）／ポリシーに基づいて、ユーザのＰＴＴＴＭ送信の規制を管理する異なるルールを有し得る。
【００３０】
ここで図１Ａを参照すると、本発明の実施形態に従った送信チャネル規制方法の一例が、半二重ディスパッチシステムにおけるワイヤレスモバイルデバイスのＰＴＴＴＭグループに対するアクティブなディスパッチコールとの関連において、ここで記載される。
【００３１】
修正されたｉＤＥＮＴＭシステムである、概して参照番号１１によって示される通信システムは、送信チャネルが占有されている間、ディスパッチネットワーク３９の残りに沿って、アクティブなＰＴＴＴＭセッションに関与する一群のモバイルデバイスからなる、ＰＴＴＴＭグループ（概して参照番号１０にて示される）を有して示される。
【００３２】
グループ１０は、トーク／送信モードである送信チャネルを占有するＴＨＤ（半二重に送信する）モードにある単一のモバイルデバイス２０、およびリスニングモードであるＲＨＤ（半二重に受信する）モードにあるデバイス３０のセット（４つのみ図示されている）を含む。送信チャネル規制は、ディスパッチコールセッションが２つのデバイス（１対１セッション）のみを含むか、または、３つ以上のデバイス（１対多セッション）を含む実施形態に等しく適用可能であることは理解すべきである。本記載を簡略化するために、ＴＨＤモードまたはＲＨＤモードにあるデバイスは、それぞれＴＨＤデバイスまたはＲＨＤデバイスと呼ばれる。しかしながら、これらは任意の特定の時間において、そのデバイスの特定の動作に対する一時的な命名であることは理解されたい。アクティブセッションの間、ＲＨＤデバイス３０のユーザは、リスナと呼ばれ、その一方で、ＴＨＤデバイス２０のユーザは、トーカ（ｔａｌｋｅｒ）と呼ばれる。図１Ａに示される特定の実施形態のそれぞれのデバイスは、ＴＨＤデバイスまたはＲＨＤデバイスのいずれかとして機能することが可能であり、そのデバイスは、トーク／送信モードにあること、および、任意の特定のアクティブセッションの間、リスニングモードにあることに依存する。トークチャネルに対するワイヤレスデバイスからのリクエストを受信した後、そのシステムがデバイスのトークチャネルを許可する場合、次いでそのデバイスはＴＨＤモードに入る。
【００３３】
ユーザのデバイス間におけるワイヤレスリンクの確立、音声データパケットのルーティング、およびリスニングモードにおける各デバイスに対しての音声データパケットの複製は、ＰＴＴＴＭの各インプリメンテーションまたは同様の半二重音声通信システムに特有である。これらの機能は、ネットワーク３９の一部であるシステム構成要素の全てを表すリンク２５によって抽象的に示される。上記ネットワークは、全てのＲＨＤデバイス３０に対してＴＨＤデバイス２０によって送信された音声データを通信し、概してアクティブセッションの機能をサポートするために必要である。これらのリンクの詳細は、ここでは関係ない。
【００３４】
アクティブセッションの間、ＴＨＤデバイス２０は、トーク／送信チャネルを占有する。ユーザは、例えば、ワイヤレスデバイス２０にチャネルを解放するリクエストを発するか、またはコールを終了させるトークボタンを解放することによって、または、デバイス上に提供された任意の適切なインターフェースを用いることによって、チャネルを解放することができる。
【００３５】
ディスパッチアプリケーションプロセッサ（ＤＡＰ）１３０はディスパッチネットワーク３９内にあり、ｉＤＥＮＴＭシステムにおけるディスパッチサービスの全体の調整および制御を担う処理エンティティである。ＤＡＰ１３０は、ディスパッチコーリングＩＤおよびサービスのためのデータを貯蔵する、ディスパッチホームロケーションレジスタ（Ｄ−ＨＬＲ）１２０と結合される。一部のインプリメンテーションにおいて、Ｄ−ＨＬＲ１２０は、ＤＡＰ１３０に常駐している。ＤＡＰ１３０は、メトロパケットスイッチ（ＭＰＳ）１４０と結合され、ＭＰＳは次いで、デジタルアクセスクロス接続スイッチ（ＤＡＣＳ）１５０に結合される。次いでＤＡＣＳ１５０は、強化型（ｅｎｈａｎｃｅｄ）ベーストランシーバ局（ＥＢＴＳ）１６０に結合される。ＥＢＴＳ１６０は、無線経由（ＯＴＡ）にて、通信チャネル８を介して、ユーザのデバイスと通信する。チャネル８は、発信および着信の半二重音声通信チャネル（図示されず）、制御チャネル、および／または他の現行のチャネル（図示されず）であり得る。以下で検討される様々な実施形態は、送信チャネル規制に関連するメッセージを送信および受信するために、ＤＣＣＨ（専用制御チャネル）を通信チャネル８として用い得る。ディスパッチコールの調整および制御を提供する過程において、ＤＡＰ１３０は、様々なサービス、および／または、特定のモバイルデバイスが送信チャネル規制に関して規制される方法を決定する、特定のサービスレベルまたはポリシーセットに関連する情報を含むＩＤに関するＤ−ＨＬＲ１２０から情報を引き出し得る。ユーザデバイス２０と通信する過程において、ＤＡＰ１３０は、ユーザデバイス２０と相互作用するために、ＭＰＳ１４０、ＤＡＣＳ１５０およびＥＢＴＳ１６０を介してメッセージを送信する。
【００３６】
ＤＡＰ１３０はまた、以下で検討されるように、最大トーク時間およびバックオフ時間を含む送信チャネル規制に関連する情報を送信するように適合されているメッセージ生成および処理１３２を有する。好適な実施形態において、メッセージ生成および処理１３２は、ＤＡＰ１３０上において既にインプリメントされたソフトウェアに対する変化としてインプリメントされるが、別個のソフトウェア、ハードウェア、ファームウェア、またはこれらのタイプの機能性の組み合わせとしてインプリメントされ得る。図１Ａは、送信チャネル規制サービスを提供するネットワーク機能性の特定の例を示す。図１Ａの配置は、ｉＤＥＮＴＭアプリケーションに特に適している。他のネットワーク側のインプリメンテーションは、本明細書に記載された送信チャネル規制方法を伝送するために用いられ得ることは明らかに理解されるべきである。これらの他のインプリメンテーションは、ｉＤＥＮＴＭまたは他のディスパッチサービスインプリメンテーションに特有であり得る。もちろん、ディスパッチサービスは、図１Ａに示されていない追加的なシステム構成要素を含み得る。
【００３７】
好適な実施形態に従うと、アクティブセッションの間、リスナのデバイス３０は、送信／トークチャネルがＴＨＤデバイス２０のユーザの制御下に完全にない点において、ＴＨＤデバイス２０に左右されない。以下で記載されるように、ネットワーク内において更新または再配置される送信チャネル規制に関連するパラメータは、デバイスがネットワークに登録した後、および／または、その他の時に、ＴＨＤデバイス２０と通信し得る。
【００３８】
本発明の別の実施形態は、図１Ｂに示される。本実施形態において、ＮＡＷ（ウォーキートーキー様機能性を伝送するように適合されたネットワーク）５０および複数のワイヤレスデバイス５２、５４（図示された例においては２つのみ示されている）である。トーク制御要素５６は、トークチャネルの使用を制御するために用いられるパラメータを有する。トーク制御要素５６は、これらのパラメータをワイヤレスデバイスに送信する。一部の実施形態において、トーク制御要素５６はＮＡＷ５０の一部である。別の実施形態において、トーク制御要素５６はＮＡＷ５０の外側にある。トーク制御要素５６がＮＡＷ５０の外側にある場合において、それは、データゲートウェイを介してディスパッチネットワークに接続され得る。例えば、所定の法人顧客は、顧客自身のトーク制御要素５６を提供することによって、ディスパッチネットワークとは関係なく、トークチャネル規制をインプリメントし得る。そのような実施形態においては、パラメータは、例えば、パケットデータを送信することによって、ウォーキートーキー様機能性をインプリメントするために用いられる他のメッセージとは関係なく、トーク制御要素５６から送信される。トーク制御要素は、いくつか例を挙げるとすれば、ハードウェア、ソフトウェア、ファームウェア、またはそのような要素の任意の組み合わせにおいてインプリメントされ得、中央に配置され得るか、または分散され得る。
【００３９】
図１Ａの実施形態において、トーク制御要素５６は、ネットワークの一部としてインプリメントされ得、Ｄ−ＨＬＲを用い、パラメータを保存する。
【００４０】
図２を参照すると、本発明の実施形態によって提供されるＰＴＴＴＭ能力を有するワイヤレスデバイス３００の例示的なインプリメンテーションがここで記載される。これが、送信チャネル規制を可能にする本発明の実施形態において用いられ得るワイヤレスデバイスの一例であることは、明らかに理解されるべきである。
【００４１】
多くの他の特性もまた、実際のワイヤレスデバイスに通常含まれることは理解されるべきである。これらの特性は明瞭性のために示されない。図２に示される実施形態において、ワイヤレスデバイス３００は、キーパッド３１２の形態のトークリクエストインターフェースを有し、およびタッチスクリーン３４０を有する。他の実施形態は、任意の他の適切な入力／出力要素を含み得る。トークリクエストインターフェースは、処理要素３２０に結合される。処理要素３２０は、メッセージ送信要素３３２と結合される。メッセージ送信要素３３２は、リソースをメッセージ受信要素３３４と共有し得る。メッセージ受信要素３３４は処理要素３２０と結合される。要素３３２、３３４は、好適には、ワイヤレスデバイス上において、標準の受信および送信能力の一部を形成する。
【００４２】
処理要素３２０は、ワイヤレスデバイス内においてインプリメントされる任意の適切な処理能力を表し、送信チャネルを規制するためのアルゴリズムの動作を扱う。この要素は、ハードウェア、ソフトウェア、ファームウェアのうちの一つまたはそれらの組み合わせとしてインプリメントされ得る。好適な実施形態において、処理要素３２０は、現行のワイヤレスデバイス上において既に提供されたソフトウェア能力への追加として含まれる。
【００４３】
動作中、図２に示されたワイヤレスデバイス３００は、ＴＨＤモードおよびＲＨＤモードにおけるウォーキートーキー様半二重通信能力を提供するネットワーク内において動作することができる。デバイス３００は、ユーザによる起動の後、グループセッションを開始し、ネットワークから送信チャネルをリクエストすることが可能である。図２の実施形態において、この開始は、キーパッド３１２内のトークボタンを押し、および押し続けることによって達成される。そのデバイスは、システムが送信チャネルを許可するまで、ＴＨＤモードに入ることはない。
【００４４】
処理要素３２０は、記憶装置３２２から任意の必要なデータを取得し、デバイスがＴＨＤモードに入る時間からタイマー機能を開始することによって、送信チャネル規制機能を実行する。送信チャネル規制は、好適には、図３および図４を参照して以下に記載される方法または同様の方法に従って実行される。規制機能は、そのデバイスが送信チャネルを有する時間を制限するのに役に立つ。これらの機能はまた、トークボタンがユーザによって解放された後、所定の時間が経過するまで、そのデバイスが再び送信チャネルを得ないようにするのに役立つ。
【００４５】
図２は、本発明の実施形態によって提供される送信チャネル規制方法をインプリメントすることが可能なユーザデバイスのための特定のインプリメンテーションを示す。図２の構成要素の特定の配置は一例であることは明らかに理解されるべきである。もちろん、ユーザデバイス３００は図２に示されていない追加的な構成要素を含み得る。同様の機能性もまた、異なる内訳の構成要素を用いて伝送され得る。
【００４６】
ここで図３および図４を参照すると、本発明の実施形態に従った送信チャネル規制の例が、半二重グループコールにある一群のワイヤレスデバイスのためのアクティブディスパッチコールセッションとの関連において記載される。
【００４７】
各ワイヤレスデバイスは、例えば、上の図２を参照して記載され得るが、それに限定されない。
【００４８】
通信システムにおいて、規制されるべきＴＨＤデバイスは、まずステップ４００において、電源を入れられ、ネットワークにおいて登録されなければならない。ステップ４０１において、登録の間または登録に続いて、システムは、送信チャネルの利用を制御するためのパラメータを送信する。続く例において、これは、最大トーク時間（ＭＴＴ）であり、データストアに保存される。より一般的には、デバイスは、パラメータを受信し、パラメータに従って動作することを開始する。別の実施形態において、パラメータは無線を経由しては送信されず、製造中または配備に先立って構成される。送信チャネル規制処理は、最大トーク時間（ＭＴＴ）パラメータのローディングにより、ステップ４０２において初期化される。好適には、ＭＴＴまたはＭＴＴを表すパラメータは、例えば、図１ＡのネットワークのためのＤ−ＨＬＲ１２０において、ネットワークによって保存される。これは、デバイスの電源投入後または登録後にダウンロードされる。別の実施形態において、全てのデバイスは、デフォルトのＭＴＴを用いて構成され、そのデフォルトのＭＴＴは、エアインターフェースに対する任意の変化を要求することなく用いられ得る。送信チャネル規制処理は、ユーザデバイスが、ステップ４０３において、ＴＨＤモードを開始する入力を受信するまでアイドル状態である。送信チャネルに許可が与えられた後、ユーザデバイスは、その後、ステップ４０４において、ＴＨＤモードにて動作を開始する。デバイスが、ＭＴＴの期限切れの後も未だにＴＨＤモードである場合、デバイスは自動的にチャネルを解放する。ＴＨＤ期間にタイミングを合わせるための適切なメカニズムが用いられ得る。特定の例が図３に含まれている。この例において、送信チャネル規制処理は、ステップ４０６において、タイマー機能を開始し、ＭＴＴ期間の経過を追う。ステップ４１０に示されるように、例えば、ユーザがトークボタンを解放するか、コールを終了した結果として、妨害が受信された場合、送信チャネルは、ステップ４１４において示されるように、解放される。あるいは、ＭＴＴが期限切れである場合（ｙｅｓパス４１２）、送信チャネルもまた、ステップ４１４において解放される。したがって、本方法のステップの終了において、送信チャネルは他のユーザに対しても利用可能である。遅くとも、これは、ユーザが送信を開始した後のＭＴＴの期間中に生じる。
【００４９】
好適な実施形態において、複数の異なるレベルのサービスまたはポリシーのセットが定義され、各々は、他のサービスのレベルに関連するものと同様であり得、または同様でなくてもよい個々のＭＴＴを有する。それゆえ、特定のワイヤレスデバイスの最大トーク時間は、そのワイヤレスデバイスに関連するサービスのレベルに基づいてセットされる。ＭＴＴの例示的な値は、秒、分、および無期限を含むが、それらに限定されない。無期限の設定は、ポリシーベースであり得、重要なユーザ、または、チャネルを解放するのが適当だと思うまでその送信チャネルを有することを許可されるべき重要な動作を担うユーザに割り当てられ得る。ＭＴＴに対して考えられる他の時間は、例えば、Ｇｏｌｄ、Ｓｉｌｖｅｒ、およびＢｒｏｎｚｅサービスレベルの取り決めに関連する。そのデバイスが無期限に送信チャネルを有し得るようにＭＴＴがセットされている場合において、ステップ４１０および４１２は、そのユーザがトークボタンを解放するまで繰り返され、その時点において、妨害がステップ４１２において評価され、送信チャネルは解放される。あるいは、ＴＨＤモードのうちのタイミング合わせは、必ずしもそのようなデバイスにおいて生じる必要はない。
【００５０】
図４を参照すると、本発明の別の実施形態によって提供される送信チャネル規制の別の例がここで記載される。
【００５１】
図３に示される実施形態において実行されるステップと同様に、規制されるべき図４のＴＨＤデバイスは、まず、ステップ４５０において、電源を入れられ、ネットワークにおいて登録されなければならない。ステップ４５１において、パラメータはユーザデバイスに送信される。送信チャネル規制処理は、最大トーク時間（ＭＴＴ）パラメータおよびバックオフ時間（ＢＯＴ）のローディングにより、ステップ４５２において初期化される。ＢＯＴの期間の間、ユーザがトークボタンを解放した後、ユーザは、再びトークボタンを押すことによって、送信チャネルをリクエストすることができない。この方法において、他の者が送信チャネルをリクエストする機会を得る前に、ユーザは送信チャネルを要求し得ない。
【００５２】
特定のユーザが、解放に続いてチャンネルにアクセスすることを防ぐ多数の方法がインプリメントされ得る。特定の例は以下に与えられるが、異なる方法もまた用いられ得る。送信チャネル規制処理は、ユーザデバイスが、ステップ４５３において、ＴＨＤモードを開始する入力を受信するまでアイドル状態である。送信チャネル規制処理は、ステップ４５５において、ＢＯＴタイマーが期限切れ（それが開始されていなかったか、または、ＢＯＴタイマーが実行している前に開始されていたかによる）であるかどうかをチェックする。これは、既にチャネルを解放した後、ユーザがＢＯＴの期間内にトークボタンを押した場合に行なわれ得る。ＢＯＴタイマーが期限切れではない場合、その処理は、デバイスがユーザ入力を検出したときに、ステップ４５３の前に戻る。ＢＯＴタイマーが期限切れである場合において、デバイスは、ＴＨＤモードに対するリクエストを送信することを許可され、いったん送信チャネルが許可を与えられると、そのデバイスはＴＨＤモードに入る。本方法のステップ４０４、４０６、４１０、４１２、および４１４は、図３を参照して既に記載されたものと同様である。ステップ４６０において、送信チャネルの解放に続いて、ＢＯＴタイマーはステップ４６０において開始される。
【００５３】
好適な実施形態において、複数の異なるレベルのサービスまたはポリシーセットの各々に対してはＢＯＴであり、ＢＯＴは、他のサービスのレベルに関連するものと同一であり得、または同一でなくてもよい。それゆえ、特定のワイヤレスデバイスのバックオフ時間は、ワイヤレスデバイスに関連するサービスのレベルに基づいて設定される。ＢＯＴの例示的な値は、秒、分、ゼロを含むがそれらに限定されない。ゼロの設定値は、ポリシーベースであり得、重要なユーザ、または、チャネルを解放した後に望めばすぐに送信チャネルを有することを許可されるべき重要な動作を担うユーザに割り当てられ得る。ＢＯＴに対して考えられる他の時間は、例えば、Ｇｏｌｄ、Ｓｉｌｖｅｒ、およびＢｒｏｎｚｅのＳＬＡ（サービスレベルの取り決め）に関連し、より低いＢＯＴは、他に割り当てられるよりも、一部のレベルに割り当てられる。ＢＯＴがゼロである場合において、ＢＯＴタイマーが、ＳＬＡのもとで、特定のデバイスに対して開始されない場合、ステップ４５３は、常に誤りに戻り得る。それゆえ、デバイスは、単にステップ４５４に戻り、ＴＨＤモードに入る。
【００５４】
上記で検討された実施形態において、他の処理がユーザデバイス上にて実行し得、他のステップが例示的な実施形態の性質を変化させることなく記載された方法に挿入され得ることは、理解されるべきである。
【００５５】
一部の実施形態において、方法、システム、およびデバイスは、相互に作動するネットワークの機能を介し、ワイヤレスコールに関与する有線デバイスの周辺的サポートを提供するように適合されており、その結果、そのデバイスがワイヤレスネットワーク内に存在しなくても、あたかもそれらが存在し、それに関与することが可能であるかのように現れる。それゆえ、本実施形態に従うと、ＰＴＴＴＭグループにおけるデバイス全てがワイヤレスではなく、送信チャネルメッセージングは、デバイスの一つ以上が静止しており、あるいは、非ワイヤレスの有線デバイスである場合の上述のＰＴＴＴＭグループと類似した方法において生じる。それゆえ、ワイヤレスＰＴＴＴＭセッションは、本発明に従うと、ＰＴＴＴＭセッションに関与する有線または陸上通信線ベースのデバイスを有し得、送信チャネルを規制するように適合される。
【００５６】
本発明の一部の実施形態は、ワイヤレスデバイスにおける記憶装置のための、ＭＴＴおよびＢＯＴなどの情報を配備することを提供する。２つのそのような例が、図５および図６において例示される。
【００５７】
図５を参照すると、ユーザデバイスに、そのユーザに対するネットワークデータが変更されるたびに、またはユーザデバイスの始動の際にデバイスがステップ５００にて初めて初期化された場合、ＭＴＴおよびＢＯＴパラメータが供給される。ユーザのデバイスが始動され、かつステップ５０２にて登録した後、ネットワークは、ステップ５０４にて、ユーザデバイスにＭＴＴおよびＢＯＴパラメータを送信する。この情報の転送は、新しい制御チャネル、既存の制御チャネルを介して、またはトラフィックチャネルを介して、登録受領メッセージ内にて生じ得る。ステップ５０６にて、ユーザデバイスは、ＭＴＴおよびＢＯＴパラメータを格納し得る。
【００５８】
図６を参照すると、ユーザデバイスに、そのユーザに対するネットワークデータが変更されるたびに、またはデバイスがステップ６００にて初めて初期化された場合、ＭＴＴおよびＢＯＴパラメータが供給される。ユーザデバイスがアイドル状態であっても、ネットワークは、ステップ６０４にてユーザデバイスにＭＴＴおよびＢＯＴパラメータを送信する。
【００５９】
これらの値は、ネットワークからユーザデバイスにチャネルを通じて送信される。これは、別々の制御チャネルにおいて、またはトラフィックチャネルにおいて送信され得る。ＭｏｔｏｒｏｌａＴＭ社のｉＤＥＮＴＭシステムにインプリメントされる実施形態において、ＭＴＴおよびＢＯＴを送信するために使用される好ましいロジカル制御チャネルは、第２層として時々言及されるデータリンク層である。ＭＴＴおよびＢＯＴは、指定制御チャネル（ＤＣＣＨ）またはパケットチャネル、もしくは関連制御チャネル（ＡＣＣＨ）のようなＬ２制御チャネルを通じて送信され得る。ステップ６０６にて、ユーザデバイスは、データストアにＭＴＴおよびＢＯＴパラメータを格納する。
【００６０】
本発明の多数の修正およびバリエーションは、上記の教示の観点から可能である。従って、添付の特許請求の範囲内において、本発明が本明細書中に特に説明されるものとは別の方法において実施され得ることが理解される。
【図面の簡単な説明】
【００６１】
【図１Ａ】図１Ａは、本発明の例示的な実施形態に従った、例示的な一群のアクティブＰＴＴＴＭセッションを示すブロック図であり、ここで、トーク制御はＰＴＴセッションを提供するネットワークによって実行される。
【図１Ｂ】図１Ｂは、本発明の例示的な実施形態に従った、一群のアクティブＰＴＴＴＭセッションを示すブロック図であり、ここで、トーク制御はＰＴＴセッションを提供するネットワークによって実行される。
【図２】図２は、本発明の実施形態によって提供されるワイヤレスデバイスの例示的なインプリメンテーションの略図である。
【図３】図３は、送信チャネル規制のために、本発明の一実施形態において実行されるステップを示すフロー図である。
【図４】図４は、送信チャネル規制のために、本発明の別の実施形態において実行されるステップを示すフロー図である。
【図５】図５は、送信チャネル規制パラメータ配備のために、本発明の一実施形態において実行されるステップを示すフロー図である。
【図６】図６は、送信チャネル規制パラメータ配備のために、本発明の別の実施形態において実行されるステップを示すフロー図である。
【図１Ａ】
2008506320.tif 000003
【図１Ｂ】
2008506320.tif 000004
【図２】
2008506320.tif 000005
【図３】
2008506320.tif 000006
【図４】
2008506320.tif 000007
【図５】
2008506320.tif 000008
【図６】
2008506320.tif 000009
【国際調査報告】
2008506320.tif 000010
2008506320.tif 000011